(57)【要約】【課題】足の甲の高さや足幅に関係なく、足の甲に対する適切なフィット性が得られ、靴は履用中であっても簡単な操作で微調整的に締付け力の調節ができて常に好ましい状態の締付け力に保持できる靴を提供する。【解決手段】一方の側甲被３から延設した甲バンド５の遊端部裏面に面ファスナー６を取り付け、該面ファスナー６を接合させる固定面ファスナー７を他方の側甲被３の表面に取り付けた靴において、甲バンド５の前縁中央部５ａを前方に突出状に形成し、甲バンド５の後縁中央部から前縁中央部に向けに形成した切込み部８に弾性伸縮布９を張設し、切込み部８を跨ぐ調節バンド１０を甲バンド５上に配装し、調節バンド１０の一方の端部を甲バンド５表面に取り付け、調節バンド１０の遊端部裏面に面ファスナー１１を取り付け、該面ファスナー１１を接合させる固定面ファスナー１２を切込み部８の反対側の甲バンド５表面に取り付けた。【選択図】  図１
0003106322.tif 000002
【実用新案登録請求の範囲】
【請求項１】
靴本体の甲前切開部に舌片を臨ませ、一方の側甲被から延設した甲バンドの遊端部裏面に面ファスナーを取り付け、該面ファスナーを接合させる固定面ファスナーを他方の側甲被の表面に取り付けた靴において、前記甲バンドの前縁中央部を前方に突出状に形成するとともに、甲バンドの後縁中央部から前縁中央部に向けに漸進的に幅狭に形成した切込み部に弾性伸縮布を張設し、該切込み部を跨ぐ調節バンドを甲バンド上に配装し、調節バンドの一方の端部を甲バンド表面に取り付け、調節バンドの他方の遊端部裏面に面ファスナーを取り付け、該面ファスナーを接合させる固定面ファスナーを切込み部の反対側の甲バンド表面に取り付けたことを特徴とする靴。
【請求項２】
甲バンドの前縁中央部と、弾性伸縮布が張設される切込み部縁との間にＶ字状の細幅屈曲部を形成したことを特徴とする請求項１記載の靴。
【請求項３】
靴本体の甲前切開部の爪先側端縁に山形突起部を形成し、該山形突起部に甲バンドの前縁中央部を重合状に臨ませたことを特徴とする請求項１又は２記載の靴。
【考案の詳細な説明】
【技術分野】
【０００１】
本考案は、靴本体の甲被を緊締するのに面ファスナーを用いる靴に関するものであり、さらに詳しくは、履用者の足の甲の高さや足幅に合わせて簡単に甲被の締付け力を調節して足の甲にフィットさせることができる靴に関するものである。
【背景技術】
【０００２】
靴を心地よく履くには、足の甲を覆う甲被を緊締して足の甲にフィットさせることが重要な要件とされる。
【０００３】
このために、靴には、足の甲を覆う甲被を締付ける方法として、靴紐を用いる他に、履口部の前で靴本体の一方の側甲被から延設した甲バンドの遊端部に面ファスナーを取り付け、この面ファスナーを他方の側甲被の表面に取り付けた固定面ファスナーに脱着自在に接合させるものが実用されており、靴紐式に比べて靴を履いたり脱いだりするのがし易く、多くの靴に採用されている。
【０００４】
例えば、この種の面ファスナー付きの靴として、靴本体の履口部の前部にあって左右の側甲被の一方に、長さ方向の伸縮性と弾性を有する甲バンドの基端部を取り付け、この甲バンドは、先端部が履口部の前部を越えて反対側の側甲被まで達する長さに設定され、甲バンドの遊端部に取り付けた面との接合を反対側の側甲被表面に取り付けた固定面ファスナに脱着自在に接合する構成の靴が提案されている（例えば、特許文献１参照）。
【０００５】
しかしながら、前記する面ファスナー付きの靴は、靴を履くたびに甲バンド遊端部側の面ファスナーが、側甲被側の固定面ファスナーに接合する位置が変わったり、履用者の足の甲の高さや足幅の違いによっては、足の甲が高いと、面ファスナー同士の充分な接合面積が得られずに甲バンドが外れ易くなったりする。また、足の甲が低いと、甲バンドの遊端部側の長さが必要以上に長くなって固定面ファスナー上に長く被さるようになって取り扱い難くなったりする。さらに、甲バンドは、長さ方向の伸縮性と弾性を有するゴムを用いた帯部で構成されているので、靴を履用している時は、常時、足の甲部には、甲バンドによる締付け力が弾力的に作用するので、足の甲に対するフィット性は損なわれることはないが、長時間の履用では甲バンドが当てられる足の甲部に痛みを覚えることもある。
【特許文献１】実用新案登録第３０５９３０５号公報。
【考案の開示】
【考案が解決しようとする課題】
【０００６】
本考案は、このような状況に鑑みてなされたものであって、従来の面ファスナーを用いた靴における欠点を解消し、足の甲の高さや足幅に関係なく履用することができて、足の甲に対する適切なフィット性が得られ、また、靴は履用中であっても簡単な操作で微調整的に締付け力の調節ができて常に好ましい状態の締付け力に保持できる靴を提供することを目的としたものである。
【課題を解決するための手段】
【０００７】
上記の目的を達成するための本考案に係る靴は、靴本体の甲前切開部に舌片を臨ませ、一方の側甲被から延設した甲バンドの遊端部裏面に面ファスナーを取り付け、該面ファスナーを接合させる固定面ファスナーを他方の側甲被の表面に取り付けた靴において、前記甲バンドの前縁中央部を前方に突出状に形成するとともに、甲バンドの後縁中央部から前縁中央部に向けに漸進的に幅狭に形成した切込み部に弾性伸縮布を張設し、該切込み部を跨ぐ調節バンドを甲バンド上に配装し、調節バンドの一方の端部を甲バンド表面に取り付け、調節バンドの他方の遊端部裏面に面ファスナーを取り付け、該面ファスナーを接合させる固定面ファスナーを切込み部の反対側の甲バンド表面に取り付けたことを特徴とする。
【０００８】
ここで、調節バンドは、甲バンドの実質的な長さの調節や、甲バンドによる締付け力を微調整的に調整する時に使用される。すなわち、甲バンド及び調節バンドの遊端部をフリーにした状態で、甲バンドを弾性伸縮布の弾力に抗して引っ張り気味にした状態で調節バンド遊端部の面ファスナーを甲バンド側の固定面ファスナーに接合させる時は、甲バンドは長めに調整される。また、甲バンド及び調節バンドの遊端部をフリーにした状態で、弾性伸縮布の弾力を無力にし弾性伸縮布に皺を寄せる等して甲バンドの長さを縮めるようにした状態で調節バンド遊端部の面ファスナーを甲バンド側の固定面ファスナーに接合させる時は、甲バンドは短めに調整される。また、弾性伸縮布の弾力を活用する締付け力の調節は、弾性伸縮布の弾力を無力にした状態で、甲バンド上で調節バンドの中間を湾曲させる形で遊端部の面ファスナーを甲バンド側の固定面ファスナーに接合させる時は、甲バンドは甲バンド上で調節バンドが伸長する範囲で弾性伸縮布の弾力を活かした伸縮を可能とする。
【０００９】
こうして、本考案に係る靴は、靴を履き始める時に調節バンドにより甲バンドの長さを調節しておけば、普段に靴を履く時は、甲バンド遊端部の面ファスナーを対応する靴本体側の固定面ファスナーに接合するだけで足の甲の高さや足幅には無関係に、足の甲に対する適切なフィット性が得られる。また、履用中の靴の締付け力を微調整的に変更したい時は、靴を履いたままで甲バンド上で甲バンドに対する調節バンドの接合具合を変更して簡単に調整することができるので、長時間に亘る靴の履用でも履き心地を悪化させることはない。
【００１０】
甲バンドの長さを調整する際には、甲バンドに面的な捻れが生じ、これが甲バンドの前縁中央部付近に集中する。そこで、前記構成において、甲バンドの前縁中央部と、弾性伸縮布が張設される切込み部縁との間にＶ字状の細幅屈曲部を形成した構成にすると、甲バンドの長を調整する際に生じる甲バンドの面的な捻れは、弾性伸縮布と一体とする甲バンドの細幅屈曲部に生じてほとんど目立たなくすることができる。
【００１１】
本考案に係る靴において、前方に突出状をなす甲バンドの前縁中央部は、靴本体の甲前切開部の爪先側端縁に対応するが、履用者が自身の足の甲の高さや足幅に合わせて甲バンドの長さを調整した靴を普段に履く場合、甲バンドの前縁中央部は、必ずしも爪先側端縁の中央部（真ん中付近）に対応するとは限らない。そこで、前記構成において、靴本体の甲前切開部の爪先側端縁に山形突起部を形成し、この山形突起部上に甲バンドの前縁中央部を重合状に臨ませた構成にすると、履用者が普段に靴を履く時に、甲バンド遊端部の面ファスナーを靴本体側の固定面ファスナーに接合して好ましい状態の甲バンドよる締付け力が得られる状態で、予め、山形突起部上に重合状に臨む甲バンドの前縁中央部の横ずれの程度を認知しておけば、次回から靴の履く時には、同じずれを生じるように甲バンドによるさ締付け位置を目で見て決めることができて便利なものである。
【考案の効果】
【００１２】
以上述べたように、本考案に係る靴は、靴の履き始めに、足の甲部の締め付けに使用する甲バンドの実質的な長さを、甲バンド上に配装した調節バンドで調節しておけば、普段の靴の履用には、足の甲の高さや足幅に無関係に、甲バンド遊端部の面ファスナーを靴本体側の固定面ファスナーに接合させるだけで常に足の甲に対する適切なフィット性を得ることができる。また、靴は履用中であっても簡単な調節バンドの操作で微調整的に締付け力の調節ができるので、長時間に亘る靴の履用でも履き心地を悪化させることはない。
【考案を実施するための最良の形態】
【００１３】
以下、図面を参照しながら、本考案の実施例に係る靴について具体的に説明する。
【実施例１】
【００１４】
図１は本考案に係る靴の甲バンド及び調節バンドの面ファスナーを共に外した状態を示す靴の斜視図、図２は本考案に係る靴の調節バンドが止着状態にある甲バンドの面ファスナーを外した状態を示す靴の斜視図、図３は本考案に係る靴の甲バンド及び調節バンドが共に止着状態にある時の靴の斜視図、図４は本考案に係る靴の止着状態にある甲バンドから調節バンドの面ファスナーを外した状態を示す靴の斜視図である。
【００１５】
各図において、靴本体Ａは、履口部１の前方に甲前切開部２を有し、甲前切開部２の両側に側甲被３を形成している。
【００１６】
甲前切開部２には、その内側から舌片４を臨ませ、舌片４の基端縁と一方の側縁を対応する甲前切開部２縁に縫着し、舌片４の先端部（上端部）は甲前切開部２上方に突出させてデザイン的処理を施している。
【００１７】
甲前切開部２上にあって、両方の側甲被３を連結するための甲バンド５を一方の側甲被３から延設し、甲バンド５の遊端部裏面に圧着用の面ファスナー６を取り付け、この面ファスナー６を接合させる固定面ファスナー７を他方の側甲被３表面に取り付けている。
【００１８】
甲バンド５の具体的形態は、二つの菱形片の端部を互いに接合させて両菱形片を平面的に左右に広げたことで、前縁中央部５ａが前方に突出して前縁中央部５ａにＶ字状の細幅屈曲部を形成し、後縁中央部には前縁中央部５ａに向けに漸進的に幅狭にしたＶ字状の切込み部８を形成してなり、概略的には横への拡がりのある略二等辺三角形状の形態をなすもので、切込み部８に弾性伸縮布９を張設している。
【００１９】
甲バンド５はその基端部後縁を一方の側甲被３の履口縁に沿わせて縫着し、遊端部は甲前切開部２を越えて他方の側甲被３側に延び、この側甲被３表面に取り付けられた固定面ファスナー７は、甲バンド５の遊端部後縁が側甲被３の履口縁に沿わせて適正接合位置を採るように位置決めして側甲被３表面に取り付けられている。
【００２０】
また、甲バンド５を止着した状態、つまり、甲バンド５遊端部の面ファスナー６を対応する側甲被３側の固定面ファスナー７に接合させた状態で、前方に突出する甲バンド５の前縁中央部５ａは、靴本体Ａの甲前切開部２上で甲前切開部２の基部付近に臨むので、この甲前切開部２基部には、山形突起片２ａを形成し、この山形突起片２ａ上に甲バンド５の前縁中央部５ａを対向的に重ねる形で臨ませるようにしている。
【００２１】
甲バンド５上に、甲バンド５の長さを調節するための調節バンド１０を切込み部８を挟んで配装している。
【００２２】
この調節バンド１０は、甲バンド５に対して両バンド５,１０の後縁同士を沿わせる形で調節バンド１０基端部を甲バンド５上に縫着し、遊端部は切込み部８を越えて反対側の甲バンド５上に延び、この遊端部裏面に圧着用の面ファスナー１１を取り付け、この面ファスナー１１を接合させる固定面ファスナー１２を切込み部８の反対側で甲バンド５表面に取り付けている。そして、調節バンド１０の長さは、甲バンド５上に調節バンド１０を止着した状態で、調節バンド１０両端の外方に甲バンド５の両端部面を露出させる長さに設定し、調節バンド１０のバンド幅は、甲バンド５の略上半分のバンド面を覆う大きさに設定している。
【００２３】
また、調節バンド１０の前縁は切込み部８に張設した弾性伸縮布９面上を横切り、前縁前方には弾性伸縮布９面を露出させるので、実施の形態では、弾性伸縮布９面上を横切る調節バンド１０の前縁中央部に、調節バンド１０の前縁前方に露出する弾性伸縮布９面の形態に適合させて山形突起片１０ａを形成し、これを弾性伸縮布９上に重合状に臨ませている。
【００２４】
前記構成からなる靴を履用するには、最初に靴を履く時に、甲バンド５及び調節バンド１０の遊端部をフリーにした状態で、靴の中に足を入れ、甲バンド５遊端部の面ファスナー６を側甲被３側の固定面ファスナー７の適正接合位置に接合するように接合させて履き心地を確認する。ここで調節バンド１０は、甲バンド５による締付け力が好ましい状態の締付け力が得られるように甲バンド５の長さを調節する。
【００２５】
すなわち、甲バンド５遊端部の面ファスナー６を固定面ファスナー７の適正接合位置に接合させた状態で、甲バンド５よる締付け力が弱く感じられる時は、甲バンド５遊端部の面ファスナー６と固定面ファスナー７の接合はそのままで、調節バンド１０遊端部の面ファスナー１１を固定面ファスナー１２から外し、調節バンド１０を引っ張り気味にして面ファスナー１１を固定面ファスナー１２に再接合させると、これで甲バンド５よる締付け力の弱さを調整することができる。
【００２６】
また、甲バンド５よる締付け力に弾力性を付与したいような時は、調節バンド１０遊端部の面ファスナー１１を外し、甲バンド５上で調節バンド１０の中央部に軽く曲げを作る等して緩めて固定面ファスナー１２に再接合すると、調節バンド１０が延び縮みする範囲内で、甲バンド５は弾性伸縮布９の弾力を効かせての伸縮を伴う締付け力が得られる。従って、靴の長時間の履用時に行われる締付け力の調節等に適している。
【産業上の利用可能性】
【００２７】
本考案に係る靴Ａは、甲バンド５上に調節バンド１０を配装し、調節バンド１０は甲バンド５の略上半部を覆い、両バンド５、１０は靴に組み付けた状態で、立体的に湾曲して二段重ねで履口部１前部を覆い、側面視において甲バンドの前縁中央部５ａは甲前切開部２上に延びてこれを覆う形態を採るので、見る人に斬新なイメージを与え、デザイン的にも優れたものであり、その取り扱いの容易性と便利さとが相まってさまざまな靴に適用して有用なものである。
【図面の簡単な説明】
【００２８】
【図１】本考案に係る靴の甲バンド及び調節バンドの面ファスナーを共に外した状態を示す靴の斜視図である。
【図２】本考案に係る靴の調節バンドが止着状態にある甲バンドの面ファスナーを外した状態を示す靴の斜視図である。
【図３】本考案に係る靴の甲バンド及び調節バンドが共に止着状態にある時の靴の斜視図である。
【図４】本考案に係る靴の止着状態にある甲バンドから調節バンドの面ファスナーを外した状態を示す靴の斜視図である。
【符号の説明】
【００２９】
１  履口部
２  甲前切開部
２ａ  山形突起片
３  側甲被
４  舌片
５  甲バンド
５ａ  甲バンド前縁中央部
６  面ファスナー
７  固定面ファスナー
８  切込み部
９  弾性伸縮布
１０  調節バンド
１０ａ  山形突起片
１１  面ファスナー
１２  固定面ファスナー
Ａ  靴本体
【図１】
0003106322.tif 000003
【図２】
0003106322.tif 000004
【図３】
0003106322.tif 000005
【図４】
0003106322.tif 000006